(57)【要約】【課題】  普通の人が安心してうつぶせ、半うつぶせ、横向きで就寝することができ、仰向け寝への移行を防止することができる就寝具を提供すること。【解決手段】  仰向き寝になることを防止しながら就寝するための就寝具。就寝者１００の下側に敷く敷き部材２と、就寝者１００が身につける着衣４とから構成され、敷き部材２の所定部位に第１連結具１０が取り付けられ、着衣４の袖部４４に第２連結具４６が取り付けられ、第１及び第２連結具１０，４６が相互に着脱自在に連結される。第１連結具１０は、メス型又はオス型の第１連結部材から構成され、第２連結具４６は、オス型又はメス型の第２連結部材から構成される。【選択図】  図３
2011072513.tif 000002
【特許請求の範囲】
【請求項１】
仰向き寝になることを防止しながら就寝するための就寝具であって、就寝者の下側に敷く敷き部材と、就寝者が身につける着衣とから構成され、前記敷き部材側に第１連結具が設けけられ、前記着衣側に第２連結具が設けられ、前記第１及び第２連結具が相互に着脱自在に連結されることを特徴とする就寝具。
【請求項２】
前記第２連結具は前記着衣の両袖部の少なくとも一方に設けられ、前記第２連結具が前記敷き部材側の前記第１連結具に着脱自在に連結されることを特徴とする請求項１に記載の就寝具。
【請求項３】
前記第２連結具は前記着衣の両腰部の少なくとも一方に設けられ、前記第２連結具が前記敷き部材側の前記第１連結具に着脱自在に連結されることを特徴とする請求項１に記載の就寝具。
【請求項４】
前記着衣側の前記第２連結具は、オス型又はメス型の第２連結部材であり、前記敷き部材側の前記第１連結具は、メス型又はオス型の第１連結部材であり、前記着衣を着用して前記敷き部材上に就寝の姿勢をとった後に、前記第１及び第２連結部材が着脱自在に連結されることを特徴とする請求項１〜３のいずれかに記載の就寝具。
【請求項５】
前記着衣側の前記第２連結具は、オス型又はメス型の第２バックルであり、前記敷き部材側の前記第１連結具は、メス型又はオス型の第１バックルであり、前記着衣を着用して前記敷き部材上に就寝の姿勢をとった後に、前記第１及び第２バックルが着脱自在に連結されることを特徴とする請求項１に記載の就寝具。
【請求項６】
前記第１及び第２バックルの少なくともいずれか一方は、長さ調整可能なベルトを有していることを特徴とする請求項５に記載の就寝具。
【発明の詳細な説明】
【技術分野】
【０００１】
本発明は、仰向き寝に移行することを防止しながら就寝するための就寝具に関する。
【背景技術】
【０００２】
うつぶせは、聖路加国際病院の日野原先生や南横浜病院の大内先生等の医師によっても提唱されているように、健康によいとされている（例えば、非特許文献１、２参照）。この提唱されている説によれば、人間も元来は四つ足の動物と同じく、うつぶせ状態にあるときに内臓が安定しており、睡眠時においても、この状態をとること、即ちうつぶせの状態になることが好ましいとされる。そして、このうつぶせを習慣付けることにより、舌根沈下が防止され、また誤嚥も防止される。舌根沈下は、無呼吸症候群の原因となり、また誤嚥は、高齢者や糖尿病などで免疫力が低下した人にとって誤嚥性肺炎、気管支炎の原因となる。このうつぶせでの就寝状態においては、唾液の分泌が促進され、睡眠時に雑菌を唾液とともに口外に排出することができ、また痰の排出を容易にする。
【０００３】
また、この非特許文献１では、「安静の姿勢」と思われていた「仰向け寝」の弊害をなくすのは、人類の進化の過程に合った「うつぶせ」であったと説明されている。医療現場から発見され、全国的に広まりつつある「腹臥位療法」の研究結果を元に、「うつぶせ」姿勢の驚くべき効果が検証され、全く新しい健康法のための正しいやり方と安全のポイントについて述べられている。非特許文献２では、うつぶせの６つのスタイル、９つのうつぶせ効果、快眠グッズとアイデア、疑問解決！うつぶせ健康法などが紹介されている。
【０００４】
更に、この非特許文献１、２では、楽なうつぶせ寝のポイントは、マットと身体との間に隙間が生じないようにクッションで埋めることであると説明されている。
【０００５】
従来の寝具などにおいて、うつぶせ寝を目的としたものがいくつか提案されているが、これらはいずれも特殊な用途を目的するものが多く、普通の人が日常的に用いるには適してなく、楽な状態でうつぶせ寝を実現させるものではなかった。
【０００６】
うつぶせ寝用寝具の第１の例として、比較的固い第１クッション材と、この第１クッション材の上面に重ねられた比較的柔らかい第２クッション材とから構成されたものが提案されている（例えば、特許文献１参照）。このうつぶせ寝用寝具においては、第１クッション材には、上面が開放された多数の平行な溝が設けられ、第２クッション材には、その上面から第１クッション材の溝に至るように多数の空気孔が設けられている。
【０００７】
また、うつぶせ寝用寝具の第２の例として、枕本体の中央部に使用者の顔面の輪郭形状に対応した孔を設け、この孔の周縁部が弾性材料から形成されたものが提案されている（例えば、特許文献２参照）。このうつぶせ寝用寝具では、枕本体は、横方向には所定の範囲にわたってほぼ水平に変位可能であるが、縦方向には変位できないように支持体に装着される。
【０００８】
また、うつぶせ寝用寝具の第３の例として、コの字型の骨格部分と、クッション部分とから構成されたものが提案されている（例えば、特許文献３参照）。このうつぶせ用寝具では、骨格部分には空気の出入りが可能な穴（又は隙間）が設けられ、額を当てる部分の手前側に花を挿入するための穴（又は隙間）が設けられ、更に後頭部又は額・頬部を支えるための凹みが設けられている。
【０００９】
また、うつぶせ寝用寝具の第４の例として、傾斜支持面を有する傾斜マットと、この傾斜マットと間隔をおいて配設される移動抑制部材とを備えたものが提案されている（例えば、特許文献４参照）。このうつぶせ寝用寝具では、傾斜マットの傾斜支持面が使用者の背中側に配置され、移動抑制部材が使用者の腹部側に配置され、使用状態において頭部が横向いた状態に保たれ、頭部をこのような状態に保つことによって、就寝中に無呼吸状態になるのを防止することができる。
【００１０】
また、うつぶせ寝用寝具の第５の例として、頭部を載置する枕部と、この枕部の下方に配設される一対のクッション性の棒部を備え、一対の棒部が枕部に連結されたものが提案されている（例えば、特許文献５参照）。このうつぶせ寝用寝具では、枕部の使用時の対応定荷重高の値が棒部の使用時対応定荷重厚さの値よりも大きく設定され、使用時に使用者の肩部から胴部にわたる部分が一対の棒部間に位置するように用いられる。
【００１１】
更に、うつぶせ寝用寝具の第６の例として、クッション性を有する枕部と、クッション性を有する複数の円筒状体から構成される胴体部と、枕部から横方向に延びる補助枕部と、この補助枕部から延びる補助円筒状部とを備えたものが提案されている（例えば、特許文献６参照）。このうつぶせ寝用寝具では、使用者の頭部及び顔面部の一部が枕部に載置され、使用者の顔面部から股部にわたる部分が胴体部に密着して位置し、枕部の使用時の高さは、胴体部の使用時の高さよりも低く設定される。また、胴体部と枕部とが連結され、この胴体部と補助円筒体とが連結して使用される。
【先行技術文献】
【特許文献】
【００１２】
【特許文献１】特開２００３−６１７９１号公報
【特許文献２】特開閉１０−２７７１０２号公報
【特許文献３】特開平７−２７５０９８号公報
【特許文献４】特開２００５−１１８５２８号公報
【特許文献５】特開２００７−２８２６９１号公報
【特許文献６】特開２００７−１０３９３１号公報
【非特許文献】
【００１３】
【非特許文献１】「うつ伏せ寝健康法」監修：日野原重明（聖路加国際病院理事長、同名誉院長）、著者：川島みどり）（日本赤十字看護大学教授）、丸山征四郎（兵庫医科大学教授）、発行：ＫＫベストセラーズ、発行日：２００５年１２月８日
【非特許文献２】「うつぶせ」健康法  監修：大内基史（南横浜病院呼吸器外科医長）発行：株式会社主婦の友社、発行日：２００８年６月２０日
【発明の概要】
【発明が解決しようとする課題】
【００１４】
しかしながら、従来のこれらうつぶせ寝用寝具においては、次の問題がある。
【００１５】
例えば、特許文献１のものでは、幼児用のものであるために、大人用としては不適であり、また楽なうつぶせ寝の就寝状態を実現させるものではない。
【００１６】
また、例えば、特許文献２のものでは、医療用を目的とするものであり、普通の人が日常的に継続使用するには不適である。
【００１７】
また、例えば、特許文献３のものでは、使用時に寝返りなどで枕から頭部がずれた場合に、睡眠状態で元の使用状態に戻すことが難しく、また楽なうつぶせ寝の就寝状態を実現させるものではない。
【００１８】
また、例えば、特許文献４のものでは、移動抑制部材が大きなボールから構成されているので、寝具とのバランスが悪く、使用上扱い難いなどの問題がある。
【００１９】
また、例えば、特許文献５のものでは、一対の棒部が綿から形成されているので、使用するにつれてそれらの高さ及び幅が変形して低く平らになり、うつぶせ寝用寝具としての機能を果たせなくなる。
【００２０】
更に、例えば、特許文献６のものでは、枕部及び胴体部が綿から形成されるので、使用するにつれてそれらの高さ及び幅が変形して低く平らになり、うつぶせ寝用寝具としての機能を果たせなくなる。また、枕部と胴体部とを分離して高低差がつくようにつくらなければならず、その製作が煩雑となる。
【００２１】
本発明の目的は、普通の人が安心してうつぶせ、半うつぶせ、横向きで就寝することができ、仰向け寝への移行を防止することができる就寝具を提供することである。
【課題を解決するための手段】
【００２２】
本発明の請求項１に記載の就寝具は、仰向き寝になることを防止しながら就寝するための就寝具であって、就寝者の下側に敷く敷き部材と、就寝者が身につける着衣とから構成され、前記敷き部材側に第１連結具が設けけられ、前記着衣側に第２連結具が設けられ、前記第１及び第２連結具が相互に着脱自在に連結されることを特徴とする。
【００２３】
また、本発明の請求項２に記載の就寝具では、前記第２連結具は前記着衣の両袖部の少なくとも一方に設けられ、前記第２連結具が前記敷き部材側の前記第１連結具に着脱自在に連結されることを特徴とする。
【００２４】
また、本発明の請求項３に記載の就寝具では、前記第２連結具は前記着衣の両腰部の少なくとも一方に設けられ、前記第２連結具が前記敷き部材側の前記第１連結具に着脱自在に連結されることを特徴とする。
【００２５】
また、本発明の請求項４に記載の就寝具では、前記着衣側の前記第２連結具は、オス型又はメス型の第２連結部材であり、前記敷き部材側の前記第１連結具は、メス型又はオス型の第１連結部材であり、前記着衣を着用して前記敷き部材上に就寝の姿勢をとった後に、前記第１及び第２連結部材が着脱自在に連結されることを特徴とする。
【００２６】
また、本発明の請求項５に記載の就寝具では、前記着衣側の前記第２連結具は、オス型又はメス型の第２バックルであり、前記敷き部材側の前記第１連結具は、メス型又はオス型の第１バックルであり、前記着衣を着用して前記敷き部材上に就寝の姿勢をとった後に、前記第１及び第２バックルが着脱自在に連結されることを特徴とする。
【００２７】
更に、本発明の請求項６に記載の就寝具では、前記第１及び第２バックルの少なくともいずれか一方は、長さ調整可能なベルトを有していることを特徴とする。
【発明の効果】
【００２８】
本発明の請求項１に記載の就寝具によれば、就寝者の下側に敷く敷き部材と、就寝者が身につける着衣とから構成され、敷き部材側に第１連結具が設けられ、着衣側に第２連結具が設けられているので、これら第１及び第２連結具を着脱自在に連結することによって、着衣と敷き部材との間隔を一定間隔以上にならないように保つことができ、これにより、仰向き寝に寝返ることを防ぎつつ、うつぶせ、半うつぶせ又は横向き寝の就寝状態を保つことができる。着衣とは、上着衣とパンツ（又はズボン）とに別れたもの、上着衣とパンツとが一体的となったもの、ワンピース状のものなどである。
【００２９】
この就寝具を用いて就寝すれば、長時間安定してうつぶせ、半うつぶせ又は横向きの就寝状態を保つことができ、かかる状態での就寝の効果が見込まれる。このうつぶせ健康法の効果は、例えば、イビキ、無呼吸の予防改善、脳梗塞の予防、咳をしずめ痰を出しやすくすることであり、更に肺炎の予防、改善、残尿感の軽減、便通の改善、腰痛の緩和、胃腸のトラブル緩和、肺炎の予防改善、誤嚥の予防、関節の拘縮の改善、排便・排尿障害の軽減、認知障害の改善、床ずれの改善などの諸効果も期待できる。
【００３０】
また、本発明の請求項２に記載の就寝具によれば、着衣の両袖部の少なくとも一方（例えば、利き腕側の袖部）に第２連結具が設けられ、この袖部の第２連結具と敷き部材側の第１連結具とが着脱自在に連結され、このように連結することによって、着衣の袖部と敷き部材との間隔を一定間隔以上にならないように保つことができ、これにより、仰向き寝に寝返ることを防ぎつつ、うつぶせ、半うつぶせ又は横向き寝の就寝状態を保つことができる。この着衣としては、上着衣、ワンピース状のものなどである。
【００３１】
また、本発明の請求項３に記載の就寝具によれば、着衣の両腰部の少なくとも一方（例えば、利き腕側の腰部）に第２連結具が設けられ、この腰部の第２連結具と敷き部材側の第１連結具とが着脱自在に連結され、このように連結することによって、着衣の腰部と敷き部材との間隔を一定間隔以上にならないように保つことができ、これにより、仰向き寝に寝返ることを防ぎつつ、うつぶせ、半うつぶせ又は横向き寝の就寝状態を保つことができる。この着衣としては、上着衣、パンツ、ズボン、ワンピース状のものなどである。
【００３２】
また、本発明の請求項４に記載の就寝具によれば、第１連結具がメス型又はオス型の第１連結部材から構成され、第２連結具がオス型又はメス型の第２連結部材から構成されるので、就寝者は、就寝前に着衣を付けた状態で着衣と敷き部材とをワンタッチで連結して就寝することができる。
【００３３】
また、本発明の請求項５に記載の就寝具によれば、第１連結具がメス型又はオス型の第１バックルから構成され、第２連結具がオス型又はメス型の第２バックルから構成されているので、就寝者は、就寝前に着衣を付けた状態で着衣と敷き部材とをワンタッチで連結することができる。
【００３４】
更に、本発明の請求項６に記載の就寝具によれば、第１バックル（及び／又は第２バックル）は長さ調整可能なベルトを有しているので、このベルトの長さを調整することによって、就寝者の体格に応じて、着衣と敷き部材との間隔を調整することができる。
【図面の簡単な説明】
【００３５】
【図１】本発明に従う就寝具の第１の実施形態における敷き部材を示す平面図。
【図２】本発明に従う就寝具の第１の実施形態における着衣を示す正面図。
【図３】図３（ａ）は、図１及び図２の就寝具を利用するときの状態を示す平面図、図３（ｂ）は、図３（ａ）におけるＩＩＩ−ＩＩＩ線による断面図。
【図４】図４（ａ）は、図３の就寝状態から右側に向いた右半うつぶせ寝の状態を示す平面図、図４（ｂ）は、図４（ａ）におけるＩＶ−ＩＶ線による断面図。
【図５】図５（ａ）は、図１及び図２の就寝具を用いたときの左半うつ伏せ寝の状態を示す平面図、図５（ｂ）は、図５（ａ）におけるＶ−Ｖ線による断面図。
【図６】図６（ａ）は、図１及び図２の就寝具とともに抱き枕を用いたときの右半うつ伏せ寝の状態を示す平面図、図６（ｂ）は、図６（ａ）におけるＶＩ−ＶＩ線による断面図。
【図７】図１及び図２の就寝具を用いたときのうつ伏せ寝の状態を示す斜視図。
【図８】図１及び図２の就寝具と抱き枕とを用いたときの横向き寝の状態を示す斜視図。
【図９】図１の敷き部材にうつ伏せ寝用クッション及び枕を取り付けた状態を示す平面図。
【図１０】図９のうつ伏せ寝用クッション及び枕を裏側から見た背面図。
【図１１】本発明に従う就寝具の第２の実施形態における敷き部材を示す平面図。
【図１２】図１１の敷き部材に取り付けるうつ伏せ寝用クッション及び枕を裏側から見た背面図。
【図１３】図１１の敷き部材に図１２のうつ伏せ寝用クッション及び枕を取り付けた状態を示す正面図。
【図１４】本発明に従う就寝具の第２の実施形態における着衣を示す正面図。
【図１５】着衣の他の実施形態を示す正面図。
【図１６】図１６（ａ）は、図１３及び図１４の就寝具を利用するときの状態を示す平面図、図１６（ｂ）は、図１６（ａ）におけるＸＶＩ−ＸＶＩ線による断面図。
【図１７】図１７（ａ）は、図１６の就寝状態から右側に向いた右半うつぶせ寝の状態を示す平面図、図１７（ｂ）は、図１７（ａ）におけるＸＶＩＩ−ＸＶＩＩ線による断面図。
【図１８】図１８（ａ）は、図１３及び図１４の就寝具を用いたときの左半うつ伏せ寝の状態を示す平面図、図１８（ｂ）は、図１８（ａ）におけるＸＶＩＩＩ−ＸＶＩＩＩ線による断面図。
【図１９】着衣の更の実施形態の一部を示す正面図。
【発明を実施するための形態】
【００３６】
以下、添付図面を参照して、本発明に従う就寝具について説明する。
【００３７】
第１の実施形態の就寝具
図１〜図１０を参照して、本発明に従う就寝具の第１の実施形態について説明する。図１及び図２において、図示の就寝具は、図１に示す敷き部材２と、図２に示す着衣４とから構成される。図示の敷き部材２は敷き布団６から構成され、この敷き布団６は布団本体（図示せず）と、これを覆う布団カバー８とから構成され、布団本体の全体が布団カバー８により覆われている。
【００３８】
この敷き部材２の所定部位、この実施形態では、長手方向（図１において左右方向）の略中央部における両側部に第１連結具１０が取り付けられている。第１連結具１０は、例えばメス型の連結部材から構成され、メス型フック１２と、メス型フック１２から延びる短帯状部１４とから構成され、短帯状部１４が布団カバー８に縫い付けられている。
【００３９】
このうつ伏せ寝用の敷き部材２には、図４〜図６に示すように、使用者１００の頭部乃至顔面部１０２、胸部１０４、胴部１０６、腰部１０８、股部１１０及び両足部１１２にわたる身体の全部分が載置される。そして、必要に応じて、敷き部材２の表面側の所定部位にうつ伏せ寝用クッション１６及び枕１８（図９及び図１０参照）が配設される。
【００４０】
図１とともに図９及び図１０を参照して、敷き部材２（具体的には、敷き布団６のカバー部材８）の所定部位（幅方向中央部における上部）には、上下方向に間隔をおいて一対の第１面ファスナー２０，２２が設けられている。第１面ファスナー２０，２２は、幅方向（図１及び図９において上下方向）に細長く延びている。これらの第１面ファスナー２０，２２に対応して、うつ伏せ寝用クッション１６の背面側の所定部位（幅方向中央部の上部及び下部）には、一対の第２面ファスナー２４，２６が設けられている。第２面ファスナー２４，２６はうつ伏せ寝用クッション１６の上下方向（図９及び図１０において左右方向）に細長く延びている。うつ伏せね用クッション１６は、矩形状のクッション本体（図示せず）と、このクッション本体を覆うクッションカバー２８から構成され、この形態では、第２面ファスナー２４，２６は、うつぶせ寝用クッション１６のクッションカバー２８に縫い付けられている。尚、クッション本体は、例えば柔らかなウレタンフォームからなる低反発素材から形成することできる。
【００４１】
このうつ伏せね用クッション１６は、第１面ファスナー２０，２２に第２面ファスナー２４，２６を装着することによって、敷き部材２に着脱自在に装着される。このとき、第１面ファスナー２０，２２が幅方向に延びているので、うつ伏せ寝用クッション１６の敷き部材２に対する幅方向（図１及び図９において上下方向）の位置を調整可能に装着することができ、また第２面ファスナー２４，２６が上下方向に延びているので、うつ伏せ寝用クッション１６の敷き部材２に対する上下方向（図１及び図９において左右方向）の位置を調整可能に装着することができる。尚、第１面ファスナー２０，２２を上下方向に延びるように、また第２面ファスナー２４，２６を幅方向に延びるように構成することによっても、上述したと同様に、うつ伏せ寝用クッション１６を敷き部材２に対する上下方向及び幅方向の位置を調整可能とすることができる。
【００４２】
第１面ファスナー２０，２２は、例えばオス型面ファスナー（又はメス型面ファスナー）から構成され、第２面ファスナー２４，２６は、例えばメス型面ファスナー（又はオス型面ファスナー）から構成される。尚、敷き部材２に設ける第１面ファスナー２０，２２の数、またうつ伏せ寝用クッション１６に取り付ける第２面ファスナー２４，２６の数については、うつぶせ寝用クッション１６の大きさ、これらファスナーの大きさなどを考慮して適宜に設定することができる。
【００４３】
また、敷き部材２の幅方向中央部における上端部、即ち一対の第１面ファスナー２０，２２の上側に、第３面ファスナー３０が設けられている。第３面ファスナー３０は、一対の第１面ファスナー２０，２２と実質上平行に、幅方向（図１及び図９において上下方向）に細長く延びている。この第３面ファスナー３０に対応して、枕１８の背面側の所定部位（幅方向中央部）には、第４面ファスナー３２が設けられている。第４面ファスナー３２は枕１８の上下方向（図９及び図１０において左右方向）に細長く延びている。枕１８は、矩形状の枕本体（図示せず）と、この枕本体を覆う枕カバー３４から構成され、この形態では、第４面ファスナー３２は、枕１８の枕カバー３４に縫い付けられている。尚、枕本体も、例えば柔らかなウレタンフォームからなる低反発素材から形成することできる。
【００４４】
この枕１８は、第３面ファスナー３０に第４面ファスナー３２を装着することによって、敷き部材２に着脱自在に装着される。このとき、第３面ファスナー３０が幅方向に延びているので、枕１８の敷き部材２に対する幅方向（図１及び図９において上下方向）の位置を調整可能に装着することができ、また第４面ファスナー３２が上下方向に延びているので、枕１８の敷き部材２に対する上下方向（図１及び図９において左右方向）の位置を調整可能に装着することができる。尚、第１及び第２面ファスナー２０，２２，２４，２６と同様に、第３面ファスナー３０を上下方向に延びるように、また第４面ファスナー３２を幅方向に延びるように構成することによっても、枕１８の敷き部材２に対する上下方向及び幅方向の位置を調整可能とすることができる。
【００４５】
第１及び第２面ファスナー２０，２２，２４，２６と同様に、第３面ファスナー３０は、例えばオス型面ファスナー（又はメス型面ファスナー）から構成され、第４面ファスナー３２は、例えばメス型面ファスナー（又はオス型面ファスナー）から構成される。尚、敷き部材２に設ける第３面ファスナー３０の数、また枕１８に取り付ける第４面ファスナー３２の数については、枕１８の大きさ、これらファスナーの大きさなどを考慮して適宜に設定することができる。
【００４６】
図２に戻って着衣４について説明すると、この着衣４は寝巻き又はパジャマなどでよく、この実施形態ではパジャマの上着衣４２から構成されている。上着衣４２の袖部４４は、実施形態では半袖になっているが、長袖でもよい。この着衣４には、敷き部材２に取り付けられた一対の第１連結具１０に対応して第２連結具４６が取り付けられている。第２連結具４６は、例えばオス型の連結部材から構成され、オス型フック４８と、オス型フック４８から延びる短帯状部５０とから構成され、短帯状部５０が着衣４の袖部４４に縫い付けられている。この第２連結具４６のオス型フック４８が、敷き部材２に取り付けられた第１連結具１０のメス型フック１２に着脱自在に連結される。尚、この形態では、第１連結具１０をメス型連結部材から構成し、第２連結具４６をオス型連結部材から構成しているが、これとは反対に、第１連結具１０をオス型連結部材から構成し、第２連結具４６をメス型連結部材から構成するようにしてもよい。
【００４７】
上述した就寝具は、例えば、次の用にして使用される。図１、図２及び図９とともに図３〜図５を参照して、使用に際して、うつ伏せ寝用クッション１６及び枕１８を敷き部材２に取り付ける（図９参照）。うつ伏せ寝用クッション１６については、クッション１６側の第２面ファスナー２４，２６を敷き部材２側の第１面ファスナー２０，２２に装着すればよく、また枕１８については、枕１８側の第４面ファスナー３２を敷き部材２側の第３面ファスナー３０に装着すればよい。このように装着した状態においては、図９に示すように、敷き部材２の上端部に枕１８が配置され、この枕１８の下側にうつ伏せ寝用クッション１６が配置され、枕１８とうつ伏せ寝用クッション１６との間に適当な間隔を設けるようにする。
【００４８】
このようにうつ伏せ寝用クッション１６及び枕１８を取り付けた後に、敷き部材２の上にうつ伏せ状態になって寝る準備をする。このようにうつ伏せ寝すると、図３（ａ）及び（ｂ）に示すとともに図７に示すように、就寝者（使用者）１００の頭部乃至顔面部１０２が枕１８に位置し、その胸部１０４から胴部１０６までがうつ伏せ寝用クッション１６に位置し、就寝者１００の口が枕１８とつぶせ寝用クッション１６との間の空間に位置し、このような状態でうつ伏せ寝することによって、呼吸を確保しながら安定したうつ伏せ寝状態を保つことができる。尚、うつ伏せ寝用クッション１６を更に長くして就寝者１００の胸部１０４から胴部１０６を経て腰部１０８まで、或いは胸部１０４から胴部１０６及び腰部１０８を経て股部１１０までうつ伏せ寝用クッション１６に位置するようにすることもできる。
【００４９】
そして、例えば、図３に示すように、着衣４側の一対の第２連結具４６の一方のオス型フック４８（右袖部４４に取り付けられたもの）を敷き部材２側の対応する第１連結具１０のメス型フック１２に着脱自在に連結する。着衣４を敷き部材２に装着した状態では、図３及び図３から理解されるように、図３（ｂ）において反時計方向に寝返りして仰向けになることが、連結状態の第１及び第２連結具１０，４６によって防止され、図３（ａ）及び（ｂ）に示すうつ伏せ寝の状態乃至図４（ａ）及び（ｂ）に示す右側への半うつ伏せ寝の状態が保たれ、起床するまでこのような就寝状態が保たれる。従って、就寝中長時間にわって安定してたうつぶせ寝乃至半うつぶせ寝の就寝状態を保つことができ、かかる状態での上述した就寝の効果が見込まれる。
【００５０】
一般的に、就寝者の寝返りする方向はある程度決まっており、例えば、図４（ａ）及び（ｂ）で示すように、右回転方向に寝返りして仰向けになる傾向にある使用者１００にあっては、上述したように着衣４の右袖部４４に取り付けた第２連結具４６を対応する第１連結具１０に装着すればよく、これとは反対に、左回転方向に寝返りして仰向けになる傾向にある使用者１００にあっては、図５（ａ）及び（ｂ）に示すように、着衣４の左袖部４４に取り付けた第２連結具４６を対応する他方の第１連結具１０に装着すればよく、このようにすることによって、連結状態の第１及び第２連結具１０，４６によって、図５（ａ）及び（ｂ）から理解されるように、図５（ｂ）において時計方向に寝返りして仰向けになることが防止され、図３（ａ）及び（ｂ）に示すうつ伏せ寝の状態乃至図５（ａ）及び（Ｂ）に示す左側への半うつ伏せ寝の状態が保たれる。
【００５１】
この実施形態では、うつ伏せ寝乃至半うつ伏せ寝の状態が保てるように構成しているが、第１連結具１０（及び／又は第２連結具４６）の短帯状部１４（及び／又は５０）の長さを更に幾分長くし、うつ伏せ寝から横向き寝の状態まで寝返りできるように構成するようにしてもよく、この場合、うつ伏せ寝、半うつ伏せ寝又は横向き寝の就寝状態を保つことができる。
【００５２】
上述した実施形態では、うつ伏せ寝の就寝状態を安定させるために、うつ伏せ寝用クッション１６を用いているが、このうつ伏せ寝用クッション１６に代えて、図６及び図８に示すように抱き枕を用いるようにしてもよい。図６（ａ）及び（ｂ）並びに図８を参照して、抱き枕６２はそれ自体周知のものであり、各種のものが市販されており、使用者の好みに合ったものを用いることができる。この抱き枕６２を用いた場合によいても、例えば右半うつ伏せ寝乃至右横向き寝の状態で就寝するときには、図３と同様に、衣類４の右袖部４４に取り付けられた第２連結具４６のオス型フック４８が、敷き部材２側の対応する第１連結具４６のメス型フック１２に着脱自在に連結され、このように連結することによって、右横向き寝状態を越える仰向け移動が防止され、安定した右半うつ伏せ寝乃至右横向き寝の状態を維持することができる。
【００５３】
また、左半うつ伏せ寝乃至左横向き寝の状態で就寝するときには、上述とは反対に、衣類４の左袖部４４に取り付けられた第２連結具４６のオス型フック４８が、敷き部材２側の対応する他方の第１連結具４６のメス型フック１２に着脱自在に連結され、このように連結することによって、左横向き寝状態を越える仰向け移動が防止される。
【００５４】
第２の実施形態の就寝具
図１１〜図１８を参照して、本発明に従う就寝具の第２の実施形態について説明する。尚、この第２の実施形態において、上述した第１の実施形態と同様の部材には同一の参照番号を付し、その説明を省略する。
【００５５】
図１１〜図１４において、図示の就寝具は、図１１に示す敷き部材２０２と、図１４に示す着衣２０４とから構成される。図示の敷き部材２０２は敷き布団２０６から構成され、この敷き布団２０６は布団本体（図示せず）と、これを覆う布団カバー２０８とから構成され、布団本体の構成は、上述した第１の実施形態と実質上同一である。
【００５６】
この敷き部材２０２の所定部位、この実施形態では、長手方向（図１において左右方向）の略中央部における一側部に第１連結具２１０ａ，２１０ｂが取り付けられ、その他側部に同様の第１連結具２１１ａ，２１１ｂが取り付けられている。第１連結具２１０ａ，２１１ａは、例えばメス型の連結部材から構成され、メス型フック２１２と、メス型フック２１２から延びる短帯状部２１４とから構成されている。また、他方の第１連結具２１０ｂ，２１１ｂは、例えばオス型の連結部材から構成され、オス型フック２１３と、オス型フック２１３から延びる短帯状部２１５とから構成されている。
【００５７】
この第２の実施形態では、敷き部材２０２の所定部位に取付ベルト２１７が巻き付けられ、この取付ベルト２１７の一端側に、第１連結具２１０ａ，２１０ｂの短帯状部２１４，２１５が縫い付けられ、その他端部に他方の第１連結具２１０ｂ，２１１ｂの短帯状部２１４，２１５が縫い付けられている。この取付ベルト２１７は、敷き部材２０２に縫い付けるようにしてもよく、或いは敷き部材２０２の下側に敷いて固定的に配設するようにしてもよい。
【００５８】
このうつ伏せ寝用の敷き部材２０２には、第１の実施形態と同様に、うつ伏せ寝用クッション１６及び枕１８（図１１〜図１３参照）が配設される。敷き部材２０２（具体的には、敷き布団２０６のカバー部材２０８）の所定部位には一対の第１面ファスナー２０，２２が設けられ、うつ伏せ寝用クッション１６の背面側の所定部位には一対の第２面ファスナー２４，２６が設けら、第１面ファスナー２０，２２に第２面ファスナー２４，２６を装着することによって、うつ伏せ寝用クッション１６が敷き部材２０２に着脱自在に装着される。また、敷き部材２０２の幅方向中央部における上端部に第３面ファスナー３０が設けられ、枕１８の背面側の所定部位には、第４面ファスナー３２が設けられ、第３面ファスナー３０に第４面ファスナー３２を装着することによって、枕１８が敷き部材２０２に着脱自在に装着される。
【００５９】
次に、図１４を参照して着衣２０４について説明すると、この着衣２０４は、上述した実施形態と同様に、パジャマの上着衣２４２から構成されている。この第２の実施形態では、着衣２０４の両腰部に、敷き部材２０２に取り付けられた一対の第１連結具２１０ａ，２１１ａに対応して第２連結具２４６が取り付けられている。第２連結具２４６は、例えばオス型の連結部材から構成され、オス型フック２４８と、オス型フック２４８から延びる短帯状部２５０とから構成され、短帯状部２５０が着衣２０４の両腰部２４４の背中側に縫い付けられている。このような第２連結具２４６（オス型フック２４８）を利用するときには、敷き部材２０２側の第１連結具２１０ａ，２１１ａ（メス型フック２１２）が使用され、第２連結具２４６のオス型フック２４８が、敷き部材２０２側の第１連結具２１０ａ，２１１ａのメス型フック２１２に着脱自在に連結される。
【００６０】
図１４に示す着衣２０４に代えて，図１５に示す着衣２０４Ａを利用することができる。この着衣２０４Ａは、パジャマの上着衣２４２から構成され、上述したと同様に、着衣２０４Ａの両腰部に、敷き部材２０２に取り付けられた一対の第１連結具２１０ｂ，２１１ｂに対応して第２連結具２４６Ａが取り付けられている。第２連結具２４６Ａは、例えばメス型の連結部材から構成され、メス型フック２４９と、メス型フック２４９から延びる短帯状部２５１とから構成され、短帯状部２５１が着衣２０４Ａの両腰部２４４の背中側に縫い付けられている。このような第２連結具２４６Ａ（メス型フック２４９）を利用するときには、敷き部材２０２側の他方の第１連結具２１０ｂ，２１１ｂ（オス型フック２１３）が使用され、第２連結具２４６Ａのメス型フック２４９が、敷き部材２０２側の第１連結具２１０ｂ，２１１ｂのオス型フック２１３に着脱自在に連結される。
【００６１】
この実施形態では、敷き部材２０２側に２種類の第１連結具２１０ａ，２１０ｂ，２１１ａ，２１１ｂが設けられ、衣類２０４，２０４Ａ側の二種類の第２連結具２４６，２４６Ａに対応可能に構成されているが、例えば着衣２０４（又は２０４Ａ）のみを使用する場合には、第１連結具２１０ｂ，２１１ｂ（又は２１０ａ，２１１ａ）は不要となり、着衣２０４（又は２０４Ａ）側の第２連結具２４６（又は２４６Ａ）は、第１連結具２１０ａ，２１１ａ（又は２１０ｂ，２１１ｂ）に連結される。
【００６２】
上述した就寝具は、例えば、次の用にして使用される。図１１〜図１４とともに図１６〜図１８を参照して、使用に際して、取付ベルト２１７を敷き部材２０２に巻き付けるようにして取り付ける。また、うつ伏せ寝用クッション１６及び枕１８も上述したと同様にして敷き部材２０２に取り付ける（図１３参照）。
【００６３】
このようにうつ伏せ寝用クッション１６及び枕１８を取り付けた後に、敷き部材２０２の上にうつ伏せ状態になって寝る準備をする。このようにうつ伏せ寝すると、図１６（ａ）及び（ｂ）に示すように、就寝者（使用者）１００の頭部乃至顔面部１０２が枕１８に位置し、その胸部から胴部までがうつ伏せ寝用クッション１６に位置し、就寝者１００の口が枕１８とつぶせ寝用クッション１６との間の空間に位置する。
【００６４】
そして、例えば、図１６に示すように、図１４の着衣２０４（又は図１５の着衣２０４Ａ）側の一対の第２連結具２４６（又２４６Ａ）の一方のオス型フック２４８（又はメス型フック２４９）（右腰部に取り付けられたもの）を敷き部材２０２側の対応する第１連結具２１１ａのメス型フック２１２（又は第１連結具２１１ｂのオス型フック２１３）に着脱自在に連結する。着衣２０４（２０４Ａ）を敷き部材２０２に装着した状態では、図１６及び図１７から理解されるように、図１７（ｂ）において反時計方向に寝返りして仰向けになることが、連結状態の第１及び第２連結具２１１ａ，２４６（又は２１１ｂ，２４６Ａ）によって防止され、図１６（ａ）及び（ｂ）に示すうつ伏せ寝の状態乃至図１７（ａ）及び（ｂ）に示す右側への半うつ伏せ寝の状態が保たれ、起床するまでこのような就寝状態が保たれる。従って、このような第２の実施形態の就寝具においても、就寝中長時間にわって安定していたうつぶせ寝乃至半うつぶせ寝の就寝状態を保つことができる。
【００６５】
尚、上述とは反対に、左回転方向に寝返りして仰向けになる傾向にある使用者１００にあっては、図１８（ａ）及び（ｂ）に示すように、着衣２０４の左腰部４４に設けられた第２連結具２４６（２４６Ａ）を対応する他方の第１連結具２１０ａ（又は２１０ｂ）に装着すればよく、このようにすることによって、連結状態の第１及び第２連結具２１０ａ，２４６（又は２１０ｂ，２４６Ａ）によって、図１８（ａ）及び（ｂ）から理解されるように、図１８（ｂ）において時計方向に寝返りして仰向けになることが防止され、図１６（ａ）及び（ｂ）に示すうつ伏せ寝の状態乃至図１８（ａ）及び（ｂ）に示す左側への半うつ伏せ寝の状態が保たれる。
【００６６】
尚、この第２の形態においても、うつ伏せ寝用クッション１６に代えて、図６及び図８に示す抱き枕を用いるようにしてもよい。
【００６７】
以上、本発明に従う就寝具の一実施形態について説明したが、本発明はかかる実施形態に限定されるものではなく、本発明の範囲を逸脱することなく種々の変更乃至修正が可能である。
【００６８】
例えば、図示の実施形態では、敷き部材２（２０２）を布団カバー８（２０８）により覆われた布団本体から構成しているが、布団カバー８（２０８）を省略するようにしてもよく、この場合、第１連結具１０（２１０ａ，２１０ｂ，２１１ａ，２１１ｂ）は布団本体に直接的に取り付けられる。
【００６９】
また、上述した実施形態では、着衣としての例えばパジャマなどの上着衣４（２０４，２０４Ａ）に適用して説明したが、これに限定することなく、例えば図１９に示すように、パジャマなどのパンツ（又はズボン）にも同様に適用することができる。図１９において、この変形形態では、着衣としてのパジャマの下着衣、即ちパンツ３０４から構成され、このパンツ３０４の両腰部に第２連結具４６が取り付けられている。第２連結具４６は、上述したと同様のものでよく、例えばオス型の連結部材から構成され、オス型フック４８と、オス型フック４８から延びる短帯状部５０とから構成され、短帯状部５０が着衣４の腰部の背面側に縫い付けられている。この第２連結具４６は、メス型連結部材から構成してもよく、この場合、第１連結具はオス型連結部材から構成される。このようにパンツ３０４に第２連結具４６を設けても上述したと同様の作用効果が達成される。
【００７０】
また、例えば、第１の実施形態では、着衣４の両袖部４４に第２連結具４６を設けているが、必ずしも双方の袖部４４に設ける必要はなく、着衣４の右袖部４４又は左袖部４４の一方にのみ設けるようにしてもよく、この場合、着衣４の右袖部４４又は左袖部４４に設けた第２連結具４６に対応して、敷き部材２の所定部位に対応する第１連結具１０を設けるのみでよい。また、第２の実施形態においても、着衣２０４（２０４Ａ）の両腰部に第２連結具２４６（２４６Ａ）を設けているが、必ずしも双方の腰部に設ける必要はなく、着衣２０４の右腰部又は左腰部の一方にのみ設けるようにしてもよく、この場合、着衣２０４（２０４Ａ）の右腰部又は左腰部に設けた第２連結具２４６（２４６Ａ）に対応して、敷き部材２０２の所定部位に対応する第１連結具２１１ａ（又は２１１ｂ）又は２１０ａ（又は２１０ｂ）を設けるのみでよい。尚、図１９に示す変形形態においても、同様に、パンツ３０４の両腰部に設けるのではなく、一方の腰部に設けるようにしてもよい。
【００７１】
また、図示の実施形態では、例えば、第１連結具１０としてメス型フック１２を用いた第１連結部材を用い、第２連結具４６としてオス型フック４８を用いた第２連結部材を用いているが、これらフック形態のものに代えて、例えばバックル形態のものを用いることができる。この場合、第１連結具１０としてメス型（又はオス型）の第１バックルを用い、第２連結具４６としてオス型（又はメス型）の第２バックルを用いることができ、メス型第１バックルとオス型第２バックルとを相互に着脱自在に連結することによって、敷き部材２と着衣４とを連結して上述したと同様にして寝返りを防止することができる。
【００７２】
このように第１及び第２バックルを用いる場合、第１及び第２バックルのすくなくともいずれか一方が、長さ調整自在なベルトを有しているのが好ましく、このように構成することによって、ベルトの長さを調整して使用者の体格に合わせることができ、着衣４の袖部４４と敷き部材２との間隔（換言すると、使用者の就寝状態での許容できる状態）を調整することが可能となる。
【符号の説明】
【００７３】
２，２０２  敷き部材
４，２０４，２０４Ａ  着衣
６，２０６  敷き布団
１０，２１０ａ，２１０ｂ，２１１ａ，２１１ｂ  第１連結具
１６  うつ伏せ寝用クッション
１８  枕
２０，２２  第１面ファスナー
２４，２６  第２面ファスナー
３０  第３面ファスナー
３２  第４面ファスナー
４２，２４２  上着衣
６２  抱き枕
１００  使用者（就寝者）
３０４  パンツ
【図１】
2011072513.tif 000003
【図２】
2011072513.tif 000004
【図３】
2011072513.tif 000005
【図４】
2011072513.tif 000006
【図５】
2011072513.tif 000007
【図６】
2011072513.tif 000008
【図７】
2011072513.tif 000009
【図８】
2011072513.tif 000010
【図９】
2011072513.tif 000011
【図１０】
2011072513.tif 000012
【図１１】
2011072513.tif 000013
【図１２】
2011072513.tif 000014
【図１３】
2011072513.tif 000015
【図１４】
2011072513.tif 000016
【図１５】
2011072513.tif 000017
【図１６】
2011072513.tif 000018
【図１７】
2011072513.tif 000019
【図１８】
2011072513.tif 000020
【図１９】
2011072513.tif 000021